(57)【要約】      （修正有）【課題】縦長状態において裏面の段差をなくし意匠性を向上させる表示装置を得ること。【解決手段】厚さの小さい薄板部１ｂと厚さの大きい厚板部１ａとを有し裏面に段差が形成され前面の平坦面に表示部が設けられた矩形平板状の第１の筐体１と、薄板部１ｂに重なり、この薄板部１ｂとの間に設けられた回転支持機構を介して、第１の筐体１を縦長状態と横長状態とに回転可能に支持する第２の筐体２とを備え、縦長状態にあるときには、第１の筐体１の段差部端面１ｃと第２の筐体２の上端面２ａとが密着し、回転動作時に、第２の筐体の上端側の角部２ｂが、第１の筐体１の段差部端面１ｃに沿って、または接触せずに移動する。【選択図】図５
2010166331.tif 000002
【特許請求の範囲】
【請求項１】
厚さの小さい薄板部と厚さの大きい厚板部とを有し裏面に段差が形成され前面が平坦面とされ該平坦面に表示部が設けられた概略矩形平板状の第１の筐体と、
前記第１の筐体とほぼ同一の幅と前記第１の筐体より小さい長さと前記第１の筐体の前記薄板部と前記厚板部の差分の厚さを有し、前記第１の筐体の裏面側で前記第１の筐体の前記薄板部に重なり、該薄板部との間に設けられた回転支持機構を介して、前記第１の筐体を前記厚板部が上となる縦長状態と該縦長状態から９０度回転した横長状態とに回転可能に支持する第２の筐体とを備え、
前記第１の筐体が前記縦長状態にあるときには、前記第１の筐体の前記薄板部と前記厚板部との間の段差部分に形成された段差部端面と、前記第２の筐体の上端面とが、密着するか或いは僅かな隙間を持って対向し、
前記回転支持機構は、前記第１の筐体の回転動作時に、前記第２の筐体の前記上端側の角部が、前記第１の筐体の前記段差部端面に沿って、または接触せずに移動するように前記第１の筐体の回転中心を移動させながら第１の筐体を回転させる
ことを特徴とする表示装置。
【請求項２】
前記第１の筐体が前記横長状態にあるときには、前記第１の筐体の短手方向に延びる中心線と、前記第２の筐体の上下方向に延びる中心線とがほぼ重なり、且つ、前記第１の筐体の上側の長辺端面と、前記第２の筐体の前記上端面とがほぼ重なる
ことを特徴とする請求項１に記載の表示装置。
【請求項３】
前記回転支持機構は、
前記第１の筐体の裏面とこれに対向する前記第２の筐体の対向面のいずれか一方に形成され、前記第２の筐体の上下方向に延びる中心線に対して斜めに延びる直線状のメインガイド溝、及び前記メインガイド溝に対して所定の角度傾いて延びる曲線状のサブガイド溝と、
前記第１の筐体の裏面とこれに対向する前記第２の筐体の対向面のいずれか他方に設けられ、前記メインガイド溝内を移動するメインガイドピン、及び前記サブガイド溝内を移動するサブガイドピンとを含んで構成され、
前記メインガイドピンと前記サブガイドピンにより前記第１の筐体と前記第２の筐体とが相対的に９０度回転可能に連結されている
ことを特徴とする請求項１に記載の表示装置。
【請求項４】
前記メインガイドピンには、中心軸に沿って貫通孔が形成され、
前記第１の筐体と前記第２の筐体とを電気的に接続するケーブルが前記貫通孔を通過する
ことを特徴とする請求項３に記載の表示装置。
【請求項５】
前記メインガイドピンは、前記メインガイド溝から脱落しない為のフランジを備えており、前記フランジに前記ケーブルを通す切り欠きが設けられている
ことを特徴とする請求項３に記載の表示装置。
【請求項６】
前記メインガイドピンに弾性部材が取り付けられ、
前記弾性部材は、前記第１の筐体が縦長状態と横長状態の中間にあるときに撓みが最大となり、前記第１の筐体を縦長状態または横長状態に付勢する
ことを特徴とする請求項３に記載の表示装置。
【請求項７】
前記サブガイドピンに弾性部材が取り付けられ、
前記弾性部材は、前記第１の筐体が縦長状態と横長状態の中間にあるときに撓みが最大となり、前記第１の筐体を縦長状態または横長状態に付勢する
ことを特徴とする請求項３に記載の表示装置。
【請求項８】
前記回転支持機構の少なくとも一部が、前記第１の筐体、または前記第２の筐体と一体化されている
ことを特徴とする請求項１から７のいずれか１項に記載の表示装置。
【請求項９】
操作部を有する第３の筐体と
前記第２の筐体と前記第３の筐体とを折畳み開閉自在に連結するヒンジ部とをさらに備えた
ことを特徴とする請求項１から８のいずれか１項に記載の表示装置。
【請求項１０】
前記厚板部に、カメラモジュールを備えた
ことを特徴とする請求項１から９のいずれか１項に記載の表示装置。
【請求項１１】
前記第２の筐体と前記第３の筐体とが開状態にあり、前記第１の筐体が横長状態にあるときに、前記第１の筐体と前記第３の筐体との間で露呈する部分の前記第２の筐体の前面に、スピーカーを備えた
ことを特徴とする請求項９に記載の表示装置。
【請求項１２】
前記第２の筐体と前記第３の筐体とが開状態にあり、前記第１の筐体が横長状態にあるときに、前記第１の筐体と前記第３の筐体との間で露呈する部分の前記第２の筐体の前面に、サブ操作部を備えた
ことを特徴とする請求項９に記載の表示装置。
【請求項１３】
前記第２の筐体と前記第３の筐体とが開状態にあり、前記第１の筐体が横長状態にあるときに、前記第１の筐体と前記第３の筐体との間で露呈する部分の前記第２の筐体の前面に、サブ表示部を備えた
ことを特徴とする請求項９に記載の表示装置。
【請求項１４】
前記第２の筐体と前記第３の筐体とが開状態にあり、前記第１の筐体が横長状態にあるときに、前記第１の筐体と前記第３の筐体との間で露呈する部分の前記第２の筐体の前面に着信報知部を備えた
ことを特徴とする請求項９に記載の表示装置。
【請求項１５】
前記第３の筐体の裏面に体脂肪測定用の電極を備えた
ことを特徴とする請求項９に記載の表示装置。
【発明の詳細な説明】
【技術分野】
【０００１】
本発明は、パーソナルコンピュータ用ディスプレイ、カーナビ用ディスプレイなどの情報表示装置、及び携帯型ゲーム機、ＰＤＡ（Personal Digital Assistants）、携帯電話機などの携帯端末機器のように表示部を装備する表示装置に関するものであり、特に表示部を回転可能に支持する回転支持機構を備えた表示装置に関するものである。
【背景技術】
【０００２】
携帯電話機は音声通話時の使い勝手や、片手で保持した状態でのメール入力等のキー操作性と小型・軽量化を両立させる為に、横幅を抑えた縦長形状が主流となっているが、近年は、テレビ受信機能、動画コンテンツ視聴、或いはパーソナルコンピュータ用インターネットサイトの閲覧等、横長の画面の方が使い勝手が良い場面が増えてきている。
【０００３】
例えば特許文献１には、表示部が回転可能な折畳み式携帯電話機が提案されている。この折畳み式携帯電話機では、上述の問題を解決する為に、携帯電話機本体を縦長状態としたまま、表示部を縦長状態から横長状態に切換操作可能としている。しかしながら、この携帯電話機においては、表示部の中心を軸として９０度回転させる為に、回転する側の筐体の角がヒンジ部に接触しないように、回転軸を中心とした半径に沿って筐体の角を丸めるなどの措置が必要となり、これに制限されて表示部を大きくすることができないという欠点があった。
【０００４】
そこで、例えば特許文献２に提案された折畳み式携帯電話機では、表示部の回転軸を上方向にスライド可能とすることで、上記問題を解決している。しかしながら、この方式では、スライド移動と回転移動との２つの操作が必要となり、片手では操作できず、操作性が悪いという問題があった。
【０００５】
そのため、さらに例えば特許文献３に提案された折畳み式携帯電話機では、表示部が設けられた筐体の下端側角部がヒンジ部に沿って移動するように回転動作させている。このように回転動作させることにより、コンパクトで操作性のよいものとすることができる。
【０００６】
また、例えば特許文献４に記載された情報機器は、パーソナルコンピュータやワードプロセッサ等の情報機器であるが、このような分野の機器においても、表示部を縦長状態又は横長状態に切換操作可能な回転支持機構を有するものが提案されている。
【０００７】
【特許文献１】特開２００１−１５６８９３号公報（図２）
【特許文献２】特開２００３−３１９０４３号公報（図２）
【特許文献３】特開２００６−２１１５７６号公報（図１）
【特許文献４】特許第３３２２０２１号公報（図７）
【発明の開示】
【発明が解決しようとする課題】
【０００８】
しかしながら、上記従来の提案においても、表示部の大型化及び本体の小型・薄型化と、本体全体の美しい意匠性との両立はなされておらず、課題とされていた。
【０００９】
例えば、上記特許文献３の折畳み式携帯電話機では、表示部が設けられた筐体の下端側角部がヒンジ部に沿って移動することで、表示部の大型化に伴う本体の長さ方向への影響を抑えている。表示部が設けられた筐体と、回転支持機構を介してこれを支持する筐体との間に段差が生じる為、背面部の意匠性を損ねるという課題があった。
【００１０】
また、表示部が設けられた筐体にかかる外力が、回転支持機構のガイド溝とガイドピンに集中する為に、所定強度を確保する為には回転支持機構が厚くなるという課題があった。さらには、表示部が設けられた筐体にカメラモジュールを搭載するスペースがなく、操作部の裏側にカメラモジュールを搭載している為、例えば電話機本体をテーブルの上に置いてセルフタイマーにて撮影をするような使い方ができないという課題があった。さらには、表示部が横長状態のときに、ステレオで音を鳴動させるスピーカーの配置場所の確保がしづらく課題であった。
【００１１】
また、テレビ放送受信時のチャンネル切換や録画操作、パーソナルコンピュータ用のインターネットコンテンツ閲覧時のポインタ操作など、横画面利用時の操作手段を増やしたいという希望があった。さらに、テレビ放送などは画面全体にわたり表示することが好まれるが、その際に、バッテリー残量、電波状態、番組情報、データ放送、メール受信等の情報を同一画面の例えば上端に表示すると、映像が見難くなるという課題があった。
【００１２】
また、例えば、特許文献３に提案された折畳み式携帯電話機では、表示部を横長状態にした上で、二つ折れの本体を畳んだときに、表示部が操作部を有する第３の筐体の中心よりヒンジ部側に片寄る為、この状態で電話機本体を両手で持ち、電話機本体からはみ出た表示部を見ながら操作するような使い方に向いていなかった。
【００１３】
本発明は上記のような課題を解決するためになされたものであり、以下の目的を達成しようとするものである。
１）縦長状態において、裏面の段差をなくし、意匠性を向上させる。
２）回転支持機構の強度と薄型化を両立させる。
３）テレビ放送や動画コンテンツの視聴時にスピーカーから良質の音を鳴動させる。
４）テレビ放送や動画コンテンツの視聴時に種々情報を表示するサブ表示部を持つ。
５）横長状態での利用時の操作手段を増やす。
６）本体を畳んで表示部を横長状態として使用する新しい機能を提供する。
【課題を解決するための手段】
【００１４】
上述した課題を解決し、目的を達成するために、本発明の第１の発明の表示装置においては、厚さの小さい薄板部と厚さの大きい厚板部とを有し裏面に段差が形成され前面が平坦面とされこの平坦面に表示部が設けられた概略矩形平板状の第１の筐体と、第１の筐体とほぼ同一の幅と第１の筐体より小さい長さと第１の筐体の薄板部と厚板部の差分の厚さを有し、第１の筐体の裏面側で第１の筐体の薄板部に重なり、該薄板部との間に設けられた回転支持機構を介して、第１の筐体を厚板部が上となる縦長状態とこの縦長状態から９０度回転した横長状態とに回転可能に支持する第２の筐体とを備え、第１の筐体が縦長状態にあるときには、第１の筐体の薄板部と厚板部との間の段差部分に形成された段差部端面と、第２の筐体の上端面とが、密着するか或いは僅かな隙間を持って対向し、回転支持機構は、第１の筐体の回転動作時に、第２の筐体の上端側の角部が、第１の筐体の段差部端面に沿って、または接触せずに移動するように第１の筐体の回転中心を移動させながら第１の筐体を回転させることを特徴とする。
【００１５】
本発明の第２の発明の表示装置においては、第１の筐体が横長状態にあるときには、第１の筐体の短手方向に延びる中心線と、第２の筐体の上下方向に延びる中心線とがほぼ重なり、且つ、第１の筐体の上側の長辺端面と、第２の筐体の上端面とがほぼ重なることを特徴とする。
【００１６】
本発明の第３の発明の表示装置においては、回転支持機構は、第１の筐体の裏面とこれに対向する第２の筐体の対向面のいずれか一方に形成され、第２の筐体の上下方向に延びる中心線に対して斜めに延びる直線状のメインガイド溝、及びメインガイド溝に対して所定の角度傾いて延びる曲線状のサブガイド溝と、第１の筐体の裏面とこれに対向する第２の筐体の対向面のいずれか他方に設けられ、メインガイド溝内を移動するメインガイドピン、及びサブガイド溝内を移動するサブガイドピンとを含んで構成され、メインガイドピンとサブガイドピンにより第１の筐体と第２の筐体とが相対的に９０度回転可能に連結されていることを特徴とする。
【００１７】
本発明の第４の発明の表示装置においては、メインガイドピンには、中心軸に沿って貫通孔が形成され、第１の筐体と第２の筐体とを電気的に接続するケーブルが貫通孔を通過することを特徴とする。
【００１８】
本発明の第５の発明の表示装置においては、メインガイドピンは、メインガイド溝から脱落しない為のフランジを備えており、フランジにケーブルを通す切り欠きが設けられていることを特徴とする。
【００１９】
本発明の第６の発明の表示装置においては、メインガイドピンに弾性部材が取り付けられ、弾性部材は、第１の筐体が縦長状態と横長状態の中間にあるときに撓みが最大となり、第１の筐体を縦長状態または横長状態に付勢することを特徴とする。
【００２０】
本発明の第７の発明の表示装置においては、サブガイドピンに弾性部材が取り付けられ、弾性部材は、第１の筐体が縦長状態と横長状態の中間にあるときに撓みが最大となり、第１の筐体を縦長状態または横長状態に付勢することを特徴とする。
【００２１】
本発明の第８の発明の表示装置においては、回転支持機構の少なくとも一部が、第１の筐体、または第２の筐体と一体化されていることを特徴とする。
【００２２】
本発明の第９の発明の表示装置においては、操作部を有する第３の筐体と第２の筐体と第３の筐体とを折畳み開閉自在に連結するヒンジ部とをさらに備えたことを特徴とする。
【００２３】
本発明の第１０の発明の表示装置においては、厚板部に、カメラモジュールを備えたことを特徴とする。
【００２４】
本発明の第１１の発明の表示装置においては、第２の筐体と第３の筐体とが開状態にあり、第１の筐体が横長状態にあるときに、第１の筐体と第３の筐体との間で露呈する部分の第２の筐体の前面に、スピーカーを備えたことを特徴とする。
【００２５】
本発明の第１２の発明の表示装置においては、第２の筐体と第３の筐体とが開状態にあり、第１の筐体が横長状態にあるときに、第１の筐体と第３の筐体との間で露呈する部分の第２の筐体の前面に、サブ操作部を備えたことを特徴とする。
【００２６】
本発明の第１３の発明の表示装置においては、第２の筐体と第３の筐体とが開状態にあり、第１の筐体が横長状態にあるときに、第１の筐体と第３の筐体との間で露呈する部分の第２の筐体の前面に、サブ表示部を備えたことを特徴とする。
【００２７】
本発明の第１４の発明の表示装置においては、第２の筐体と第３の筐体とが開状態にあり、第１の筐体が横長状態にあるときに、第１の筐体と第３の筐体との間で露呈する部分の第２の筐体の前面に着信報知部を備えたことを特徴とする。
【００２８】
本発明の第１５の発明の表示装置においては、第３の筐体の裏面に体脂肪測定用の電極を備えたことを特徴とする。
【発明の効果】
【００２９】
第１の発明によれば、第１の筐体が縦長状態にあるときには、第１の筐体の薄板部と厚板部との間の段差部分に形成された段差部端面と、第２の筐体の上端面とが、密着するか或いは僅かな隙間を持って対向するので、第１の筐体の裏面側にて段差が無くなり、第１の筐体と第２の筐体とが１つの直方体のように組み合わせられ、一見すると表示部が回転しない従来の折畳み式と見分けがつかないフラットな背面が実現可能であり、意匠性を高めるという効果がある。また、第１の筐体の厚板部にカメラ等のモジュールを搭載する為の空間的な余裕が生まれるという効果もある。さらには、回転支持機構は、第１の筐体の回転動作時に、第２の筐体の上端側の角部が、第１の筐体の段差部端面に沿って、または接触せずに移動するように第１の筐体の回転中心を移動させながら第１の筐体を回転させるので、コンパクトで操作性のよい回転動作を実現するという効果がある。
【００３０】
第２の発明によれば、第１の筐体が横長状態にあるときには、第１の筐体の短手方向に延びる中心線と、第２の筐体の上下方向に延びる中心線とがほぼ重なり、且つ、第１の筐体の上側の長辺端面と、第２の筐体の上端面とがほぼ重なるので、重量バランスがよく、操作する際に電話機を持つ手の疲労が少ないという効果がある。
【００３１】
第３の発明によれば、回転支持機構は、第１の筐体の裏面とこれに対向する第２の筐体の対向面のいずれか一方に形成され、第２の筐体の上下方向に延びる中心線に対して斜めに延びる直線状のメインガイド溝、及びメインガイド溝に対して所定の角度傾いて延びる曲線状のサブガイド溝と、第１の筐体の裏面とこれに対向する第２の筐体の対向面のいずれか他方に設けられ、メインガイド溝内を移動するメインガイドピン、及びサブガイド溝内を移動するサブガイドピンとを含んで構成され、メインガイドピンとサブガイドピンにより第１の筐体と第２の筐体とが相対的に９０度回転可能に連結されており、回転支持機構におけるメインガイド溝を、中心部から斜め方向に伸びる直線にしたことによって、メインガイドピンのスライド距離を最小にできる為、メインガイドピンの外形を大きく取ることが可能となり、外部からの応力に対する強度を高める効果がある。メインガイドピンの中心部に形成される貫通孔を大きく取ることができ、ケーブルの引き回しに余裕がうまれる為、薄型化の効果がある。
【００３２】
第４の発明によれば、メインガイドピンには、中心軸に沿って貫通孔が形成され、第１の筐体と第２の筐体とを電気的に接続するケーブルが貫通孔を通過するので、第１の筐体が縦長状態及び横長状態のいずれの状態であっても、メインガイドピンは第２の筐体の中心に位置する為に、このメインガイドピンをケーブルが通過することで、ケーブルの配線、特に撓み部分を逃がす空間の確保が容易になるとともに、ケーブルの長さを最小とすることができるという効果がある。
【００３３】
第５の発明によれば、メインガイドピンは、メインガイド溝から脱落しない為のフランジを備えており、フランジにケーブルを通す切り欠きが設けられているので、メインガイドピンがメインガイド溝から脱落せずに滑らかにスライドすることができる。メインガイドピンの外形を大きく取ることができ、強度を高める効果がある。また、フランジにケーブルを通す為の切り欠きを設けることで、より一層の薄型化を図ることができる効果がある。
【００３４】
第６の発明によれば、メインガイドピンに弾性部材が取り付けられ、弾性部材は、第１の筐体が縦長状態と横長状態の中間にあるときに撓みが最大となり、第１の筐体を縦長状態または横長状態に付勢するので、使用者が第１の筐体を回転させる際、その操作を補助し滑らかな動作を実現することができ、また、第１の筐体を縦長状態と横長状態のそれぞれの位置に安定して保持することができる効果がある。
【００３５】
第７の発明によれば、サブガイドピンに弾性部材が取り付けられ、弾性部材は、第１の筐体が縦長状態と横長状態の中間にあるときに撓みが最大となり、第１の筐体を縦長状態または横長状態に付勢するので、使用者が第１の筐体を回転させる際、その操作を補助し滑らかな動作を実現することができ、また、第１の筐体を縦長状態と横長状態のそれぞれの位置に安定して保持することができる効果がある。
【００３６】
第８の発明によれば、回転支持機構の少なくとも一部が、第１の筐体、または第２の筐体と一体化されているので、部品点数の削減による低コスト化、及び更なる薄型化を図ることができる効果がある。
【００３７】
第９の発明によれば、操作部を有する第３の筐体と第２の筐体と第３の筐体とを折畳み開閉自在に連結するヒンジ部とをさらに備えたので、第１の筐体に設けられた表示部を見ながら操作部にて操作をすることができる。また、ヒンジ部により第３の筐体と第２の筐体とを折畳むことができ、第１の筐体が縦長状態のときには、コンパクトに一体化した形状とすることができる効果がある。
【００３８】
第１０の発明によれば、厚板部に、カメラモジュールを備えたので、カメラモジュールと表示部とが一体となって回転し、撮影方向を縦横切換える際の操作性が向上する。
【００３９】
第１１の発明によれば、第２の筐体と第３の筐体とが開状態にあり、第１の筐体が横長状態にあるときに、第１の筐体と第３の筐体との間で露呈する部分の第２の筐体の前面に、スピーカーを備えたので、第１の筐体を横長状態とした時に、スピーカー開口部が使用者に向くことになる為、高音質なものとすることができる。
【００４０】
第１２の発明によれば、第２の筐体と第３の筐体とが開状態にあり、第１の筐体が横長状態にあるときに、第１の筐体と第３の筐体との間で露呈する部分の第２の筐体の前面に、サブ操作部を備えたので、第１の筐体を横長状態とした時に、テレビ放送受信時のチャンネル切換や録画操作、パーソナルコンピュータ用のインターネットコンテンツ閲覧時のポインタ操作など、様々な操作手段を増やすことができるという効果がある。
【００４１】
第１３の発明によれば、第２の筐体と第３の筐体とが開状態にあり、第１の筐体が横長状態にあるときに、第１の筐体と第３の筐体との間で露呈する部分の第２の筐体の前面に、サブ表示部を備えたので、例えばメインの表示部にテレビ放送等を表示した上で、サブ表示部に、バッテリー残量、電波状態、番組情報、データ放送、メール受信等の情報を表示させることが可能となり、それらの情報表示により、テレビ映像が見難くなるという欠点を解決する効果がある。
【００４２】
第１４の発明によれば、第２の筐体と第３の筐体とが開状態にあり、第１の筐体が横長状態にあるときに、第１の筐体と第３の筐体との間で露呈する部分の第２の筐体の前面に着信報知部を備えたので、第１の筐体を横長状態としたときに、着信報知部として例えばイルミネーションなどを第２の筐体の前面に設けることができ、使い勝手が良くなる。
【００４３】
第１５の発明によれば、第３の筐体の裏面に体脂肪測定用の電極を備えたので、体脂肪測定用の電極に両手の親指の付け根を当てて、第３の筐体を保持し、第３の筐体から上下に露出する表示部に表示された操作ガイダンスに従って、体脂肪の測定を行うことができるという効果がある。
【発明を実施するための最良の形態】
【００４４】
以下、この発明の表示装置の実施の形態として携帯電話機に適用した場合について図に基づいて説明するが、この発明の表示装置は、携帯電話機以外にも、パーソナルコンピュータ用ディスプレイ、カーナビ用ディスプレイなどの情報表示装置、及び携帯型ゲーム機、ＰＤＡなどの携帯端末機器に適用することが出来る。
【００４５】
実施の形態１．
図１は、本発明の実施形態１の携帯電話機の開いた状態で表示部が縦長状態である様子を前面側から見た斜視図である。図２は、携帯電話機の折畳み状態を示す斜視図である。図３は、図１の携帯電話機を裏面側から見た斜視図である。図４は、携帯電話機の表示部を縦長状態から横長状態に切り替える途中の様子を前面側から見た斜視図である。図５は、図４の携帯電話機を裏面側から見た斜視図である。図６は、携帯電話機の表示部が横長状態である様子を前面側から見た斜視図である。図７は、図６の携帯電話機を裏面側から見た斜視図である。
【００４６】
本実施の形態の携帯電話機は、ＬＣＤ等の表示部４を前面に有する概略矩形平板状の第１の筐体１と、この第１の筐体１を後述する回転支持機構を介して回転可能に支持する第２の筐体２と、キーやタッチパネル等の操作部５を前面に有するとともに第２の筐体２とヒンジ部６にて連結された第３の筐体３とを有している。
【００４７】
第１の筐体１は、長手方向の長さがＬ１で短手方向の幅がＷ１の細長長尺で概略矩形平板状を成している（図７）。第１の筐体１は、一方の端部において裏面側に向けて厚さを大きくして肉厚とされた厚板部１ａと、この厚板部１ａ以外の部分でなる薄板部１ｂとにより構成され、裏面に段差が形成されている。そして、全体にわたり平坦面とされた前面に表示部４が設けられている。なお、第１の筐体１の厚板部１ａの長さｌ１を、第１の筐体１の長手方向の長さと幅方向の長さとの差の二分の一の長さとし、第１の筐体１の中心が縦長状態の時と、横長状態の時とでほぼ一致するようにスライドさせるガイド溝を備える構成としている。
【００４８】
第２の筐体２は、第１の筐体１とほぼ同一の幅Ｗ２と第１の筐体１より小さい長さＬ２と第１の筐体１の厚板部１ａと薄板部１ｂとの差分の厚さを有している。第２の筐体２の長さＬ２は、概ね第１の筐体１の薄板部１ｂの長さと同じ長さである。そして、第２の筐体２は、第１の筐体１の裏面側で薄板部１ｂに重なり、この薄板部１ｂとの間に設けられた回転支持機構を介して、第１の筐体１を回転可能に支持する。第２の筐体２は、第１の筐体１を、厚板部１ａが上となる縦長状態とこの縦長状態から９０度回転した横長状態とに回転可能に支持する。
【００４９】
第３の筐体３は、第１の筐体１とほぼ同一の幅とほぼ同一の長さを有ししている。第２の筐体２と第３の筐体３とは、ヒンジ部６により折畳み開閉自在に連結されている。
【００５０】
そして、本実施の形態においては、第１の筐体１が縦長状態にあるときには、第１の筐体１の厚板部１ａと薄板部１ｂとの間の段差部分に形成された段差部端面１ｃと、第２の筐体２の上端面（第２の筐体２の厚板部１ａ側の端面）２ａとが、僅かな隙間を持って対向する。第２の筐体２は、第１の筐体１の厚板部１ａと薄板部１ｂとの差分の厚さを有しているので、第１の筐体１の裏面にて段差は無くなる。このようにして、第１の筐体と第２の筐体とが１つの直方体のように組み合わせられ、段差が無くなるので、一見すると表示部が回転しない従来の折畳み式と見分けがつかないフラットな背面が実現され、意匠性が向上する。また、第１の筐体１の厚板部１ａにカメラ等のモジュールを搭載する為の空間的な余裕が生まれるという二次的な効果も生まれる。
【００５１】
なお、本実施の形態においては、縦長状態にあるときには、第１の筐体１の段差部端面１ｃと第２の筐体２の上端面２ａとが、僅かな隙間を持って対向するが、第１の筐体１の段差部端面１ｃと第２の筐体２の上端面２ａとは、縦長状態において密着してもよい。
【００５２】
以上にように、本実施の形態の携帯電話機においては、操作部５を有する第３の筐体３と、第２の筐体２と第３の筐体３とを折畳み開閉自在に連結するヒンジ部６とを有しているので、第１の筐体１に設けられた表示部４を見ながら操作部５にて操作をすることができる。また、ヒンジ部６により第３の筐体３と第２の筐体２とを折畳むことができ、第１の筐体１が縦長状態のときには、コンパクトに一体化した形状とすることができる。また、折畳み時には、表示部４ならびに操作部５を外部から保護することができる。
【００５３】
また、本実施の形態においては、第１の筐体１が横長状態にあるときには、第１の筐体１の短手方向に延びる中心線（図示せず）と、第２の筐体２の上下方向に延びる中心線（図示せず）とがほぼ重なり、且つ、第１の筐体１の上側の長辺端面と、第２の筐体２の上端面とがほぼ重なる。ここで、「ほぼ重なる」とは、ほぼ同一平面上に存在することである。また、「短手方向に延びる中心線」とは、第１の筐体１を長手方向に２分割して短手方向に延びる中心線と、第１の筐体１を短手方向に２分割して長手方向に延びる中心線の前者のことである。これにより、図６及び図７に示すように、第１の筐体１が横長状態にあるときには、第１の筐体１の左右方向の中心が、携帯電話機の中心軸線上に存在することとなり、重量バランスがよく、第３の筐体３を手で持って操作する際に疲労が少ない。
【００５４】
さらに、本実施の形態においては、図７に示すように、第１の筐体１が横長状態にあるときには、第１の筐体１の段差部端面１ｃと、第２の筐体２の側面とが僅かな隙間を持って対向する。これにより、横長状態においても意匠性が向上する。第１の筐体１の段差部端面１ｃと第２の筐体２の側面とは、横長状態において密着してもよい。また、第１の筐体１が横長状態にあるときに、第１の筐体１と第３の筐体３との間で、第２の筐体２の内面２ｃが一部露呈するので、この部分に、スピーカーや操作部を搭載することが可能となるという二次的な効果も生まれる。
【００５５】
また、本実施の形態においては、第１の筐体１の厚板部１ａにカメラモジュール７が搭載されている。そして、第３の筐体３上の操作部５等を操作することにより、写真撮影を行うことができる。この際、カメラモジュール７は第１の筐体１の縦横状態と連動して回転する為、使用者にとって縦横切換時の混乱が少ない。すなわち、カメラモジュール７と表示部４とが一体となって回転する為、撮影方向を縦横切換える際の操作性が向上する。さらに、第１の筐体１を回転させた時に、プレビュー表示の縦横切換処理をソフトウェアスイッチまたはハードウェアスイッチにて行う必要がない。また、ヒンジ部６を開いた状態で第３の筐体３をテーブル等の上に置き、カメラモジュール７を被写体に向けてセルフタイマー等で記念撮影する使い方が可能となる。同様に、三脚なしでも手ブレを防止し夜景などを美しく撮影することができる。
【００５６】
実施の形態２．
図８は、表示部を縦長状態としたときの回転支持機構を示した斜視図である。図９は、表示部を縦長状態または横長状態に切り替える途中の回転支持機構を示した斜視図である。図１０は、表示部を横長状態としたときの回転支持機構を示した斜視図である。なお、図８乃至図１０においては、回転支持機構の様子を詳細に示すために、第１の筐体１は輪郭のみを一点鎖線にて表し透過した状態としている。回転支持機構８は、第１の筐体１の裏面に取り付けられた概略ホームベース型板状のプレート９と、第２の筐体２の前面に取り付けられた概略正方形板状のプレート１０とを含んで構成されている。
【００５７】
プレート１０は、第２の筐体２の上辺側に寄った位置に取り付けられている。プレート１０には、中心部から概略対角線に沿うように斜めに延びる幅の大きい直線状のメインガイド溝１１と、メインガイド溝１１の両側部にメインガイド溝１１に対して所定角度傾いて形成された幅の小さい曲線状の２本のサブガイド溝１２ａ、１２ｂとが切られている。
【００５８】
一方、プレート９は、薄板部１ｂの裏面に取り付けられている。プレート９には、第１の筐体１の中心に当たる位置に太径のメインガイドピン１３が立設され、このメインガイドピン１３から所定距離離れた位置に２本のサブガイドピン１４ａ、１４ｂが第２の筐体２の上下方向に延びる中心線（図示せず）に対称に立設されている。
【００５９】
メインガイドピン１３は、メインガイド溝１１に挿入され、サブガイドピン１４ａ、１４ｂは、それぞれサブガイド溝１２ａ、１２ｂに挿入されており、それぞれのガイドピン１３、１４ａ、１４ｂは、それぞれのガイド溝１１、１２ａ、１２ｂに沿ってスライド移動することができる。
【００６０】
図１１は、回転支持機構８を図８乃至図１０とは反対の側（第２の筐体２側）から示した斜視図である。なお、図１１においては、回転支持機構の様子を詳細に示すために、第２の筐体２は輪郭のみを一点鎖線にて表し透過した状態としている。メインガイドピン１３は、先端に設けられたメインフランジ１５によって、メインガイド溝１１からの脱落を防止されている。同様にして、サブガイドピン１４ａ、１４ｂは、それぞれ先端に設けられたサブフランジ１６ａ、１６ｂによって、サブガイド溝１２ａ、１２ｂから脱落するのを防止されている。
【００６１】
第１の筐体１と第２の筐体２の間には、両者を電気的に接続する電気ケーブル１７が配線されており、この電気ケーブル１７は、メインガイドピン１３の中心軸に沿って開口された貫通孔１８を通って引き回されている。そして、電気ケーブル１７が引き回される位置のメインフランジ１５に切り欠き１９が形成されている。切り欠き１９を通過させて電気ケーブル１７を引き回すことにより、メインフランジ１５と第２の筐体２の背面カバー２ｅとの隙間を小さくすることができ、第２の筐体２の厚さを薄くすることができる。また、第２の筐体２とメインガイドピン１３との間に弾性部材である圧縮バネ２０が縮めた状態で配設されている。メインガイドピン１３は、圧縮バネ２０によって絶えず中心方向に押し付けられており、第１の筐体１が縦長状態または縦横状態に保持する。すなわち、圧縮バネ２０は、第１の筐体１が縦長状態と横長状態の中間にあるときに撓みが最大となり、第１の筐体１を縦長状態または横長状態に付勢する。
【００６２】
本実施の形態においては、回転支持機構８のうち、プレート９が第１の筐体１に設けられ、プレート１０が第２の筐体２に設けられているが、逆に、プレート９が第２の筐体２に設けられ、プレート１０が第１の筐体１に設けられてもよい。また、回転支持機構８のうち、プレート９は第１の筐体１と一体化とされてもよいし、プレート１０は第２の筐体２と一体化とされてもよい。このような構成とすることにより、部品点数の削減による低コスト化、及び更なる薄型化を図ることができる。
【００６３】
図１２は、第１の筐体１の回転移動動作を連続的に示す模式図である。なお、図１２に示した回転支持機構は、上述の回転支持機構とは異なる軌跡のサブガイド溝３２ａ、３２ｂを有している。サブガイド溝は、メインガイドピン１３に対してサブガイドピン１４ａ、１４ｂが何れの位置にあるかで大きく形状を異にするものであるが、サブガイド溝３２ａ、３２ｂの形状が変わっても、第２の筐体２に対する第１の筐体１の回転移動動作は、上記図１乃至図１１に示したものと同様である。
【００６４】
図１２の特に２番目と３番目の図によく示されるように、回転支持機構は、第１の筐体１の回転移動動作時に、第２の筐体２の上端側の一方の角部２ｂが、第１の筐体１の段差部端面１ｃに沿って移動するように、第１の筐体１の回転中心（メインガイドピン１３）をメインガイド溝１１内で移動させながら第１の筐体１を回転させる。このとき、第２の筐体２の上端側の角部２ｂは、第１の筐体１の段差部端面１ｃに接触することはなく、段差部端面１ｃに極めて近い位置を段差部端面１ｃとほぼ平行に移動する。これにより、コンパクトな回転移動動作を実現している。
【００６５】
第１の筐体１が例えば縦長状態から横長状態に回転移動する際に、メインガイドピン１３は、メインガイド溝１１を一往復する。このため、第２の筐体２とメインガイドピン１３との間に圧縮バネ２０が縮めた状態で配設することによって、第１の筐体１を縦長状態または横長状態に付勢することができる。
【００６６】
以上のように、本実施の形態においては、回転支持機構８は、第１の筐体１の裏面に対向する第２の筐体２の対向面に形成され、第２の筐体２の上下方向に延びる中心線に対して斜めに延びる直線状のメインガイド溝１１、及びメインガイド溝１１に対して所定の角度傾いて延びる曲線状のサブガイド溝１２ａ、１２ｂと、第１の筐体１の裏面に設けられ、メインガイド溝１１内を移動するメインガイドピン１３、及びサブガイド溝１２ａ、１２ｂ内を移動するサブガイドピン１４ａ、１４ｂとを含んで構成され、メインガイドピン１３とサブガイドピン１４ａ、１４ｂにより第１の筐体１と第２の筐体２とが相対的に９０度回転可能に連結されている。この構成によれば、回転支持機構におけるメインガイド溝１１を、中心部から斜め方向に伸びる直線にしたことによって、メインガイドピン１３のスライド距離を最小にできる為、メインガイドピン１３の外形を大きく取ることが可能となり、外部からの応力に対する強度を高める効果がある。メインガイドピン１３の中心部に形成される貫通孔１８を大きく取ることができ、電気ケーブル１７の引き回しに余裕がうまれる為、薄型化の効果がある。
【００６７】
さらに、メインガイドピン１３には、中心軸に沿って貫通孔１８が形成され、第１の筐体１と第２の筐体２とを電気的に接続する電気ケーブル１７が、この貫通孔１８を通過するので、電気ケーブル１７の配線が容易となるとともに、第１の筐体１が縦長状態及び横長状態のいずれであっても、メインガイドピン１３は第２の筐体２の中心に位置する為に、電気ケーブル１７の配線、特に撓み部分を逃がす空間の確保が容易になるとともに、電気ケーブル１７の長さを最小とすることができる。
【００６８】
さらにまた、メインガイドピン１３は、メインガイド溝１１から脱落しない為のメインフランジ１５を備えており、このメインフランジ１５に電気ケーブル１７を通す切り欠き１９が設けられているので、メインガイドピン１３がメインガイド溝１１から脱落せずに滑らかにスライドする他、メインガイドピン１３の外形を大きく取ることで、強度を高める効果がある。また、メインフランジ１５に電気ケーブル１７を通す為の切り欠き１９を設けることで、より一層の薄型化を図ることができる。
【００６９】
また、メインガイドピン１３に圧縮バネ２０が取り付けられ、圧縮バネ２０は、第１の筐体１が縦長状態と横長状態の中間にあるときに撓みが最大となり、第１の筐体１を縦長状態または横長状態に付勢するので、使用者が第１の筐体１を回転させる際、その操作を補助し滑らかな動作を実現する他、第１の筐体１を縦長状態と横長状態のそれぞれの位置に安定して保持することができる。なお、本実施の形態においては、圧縮バネ２０は、メインガイドピン１３に取り付けられているが、圧縮バネ２０は、２本のサブガイドピン１４ａ、１４ｂのいずれかに取り付けられてもよい。
【００７０】
実施の形態３．
図１３は、第２の筐体２の内面２ｃにスピーカー２１ａ、２１ｂを備えた携帯電話機の斜視図である。第２の筐体２の内面２ｃにスピーカー２１ａ、２１ｂを備えていることにより、第１の筐体１を横長状態としたときに、スピーカー開口部が使用者に向くことになる為、高音質になる効果がある。
【００７１】
実施の形態４．
図１４は、第２の筐体２の内面２ｃに、サブ操作部２２を備えた携帯電話機の斜視図である。第２の筐体２の内面２ｃに、キーやタッチパネル等のサブ操作部２２を備えていることにより、第１の筐体１を横長状態としたときに、テレビ放送受信時のチャンネル切換や録画操作、パーソナルコンピュータ用のインターネットコンテンツ閲覧時のポインタ操作など、様々な操作手段を増やすことができるという効果がある。
【００７２】
実施の形態５．
図１５は、第２の筐体２の内面２ｃに、サブ表示部２３を備えた携帯電話機の斜視図である。第２の筐体２の内面２ｃに、サブ表示部２３を備えていることにより、例えばメインの表示部４にテレビ放送等を表示した上で、サブ表示部２３に、バッテリー残量、電波状態、番組情報、データ放送、メール受信等の情報を表示させることが可能となり、それらの情報表示により、テレビ映像が見難くなるという欠点を解決する効果がある。
【００７３】
実施の形態６．
図１６は、第３の筐体３の裏側に、体脂肪測定用の電極２４を備えた携帯電話機の斜視図である。図１７に示すように、第１の筐体１を横長状態にしたままヒンジ部６を折畳み、体脂肪測定用の電極２４に両手の親指の付け根を当てて、第３の筐体３を保持し、第３の筐体３から上下に露出する表示部４に表示された操作ガイダンスに従って、体脂肪計の測定を行うことができる。また、第３の筐体３から上下に露出する表示部４に、測定状況を表示することによって、使い勝手を良くすることができる。
【００７４】
なお、以上の実施形態は、本質的に好ましい例示であって、本発明、その適用物や用途の範囲を制限することを意図するものではない。
【産業上の利用可能性】
【００７５】
以上のように、本発明にかかる表示装置は、パーソナルコンピュータ用ディスプレイ、カーナビ用ディスプレイなどの情報表示装置、及び携帯型ゲーム機、ＰＤＡ、携帯電話機などの携帯端末機器のように表示部を装備する表示装置に有用であり、特に表示部を回転可能に支持する回転支持機構を備えた表示装置に適している。
【図面の簡単な説明】
【００７６】
【図１】本発明の実施形態１の携帯電話機の開いた状態で表示部が縦長状態である様子を前面側から見た斜視図である。
【図２】携帯電話機の折畳み状態を示す斜視図である。
【図３】図１の携帯電話機を裏面側から見た斜視図である。
【図４】携帯電話機の表示部を縦長状態から横長状態に切り替える途中の様子を前面側から見た斜視図である。
【図５】図４の携帯電話機を裏面側から見た斜視図である。
【図６】携帯電話機の表示部が横長状態である様子を前面側から見た斜視図である。
【図７】図６の携帯電話機を裏面側から見た斜視図である。
【図８】表示部を縦長状態としたときの回転支持機構を示した斜視図である。
【図９】表示部を縦長状態または横長状態に切り替える途中の回転支持機構を示した斜視図である。
【図１０】表示部を横長状態としたときの回転支持機構を示した斜視図である。
【図１１】回転支持機構を図８乃至図１０とは反対の側から示した斜視図である。
【図１２】第１の筐体の回転移動動作を連続的に示す模式図である。
【図１３】第２の筐体の内面にスピーカーを備えた携帯電話機の斜視図である。
【図１４】第２の筐体の内面にサブ操作部を備えた携帯電話機の斜視図である。
【図１５】第２の筐体の内面にサブ表示部を備えた携帯電話機の斜視図である。
【図１６】第３の筐体の裏側に体脂肪測定用の電極を備えた携帯電話機の斜視図である。
【図１７】体脂肪を測定する時の携帯電話機の持ち方を示した正視図である。
【符号の説明】
【００７７】
１  第１の筐体
１ａ  厚板部
１ｂ  薄板部
１ｃ  段差部端面
２  第２の筐体
２ａ  第２の筐体の上端面
２ｂ  第２の筐体の上端側の角部
２ｃ  第２の筐体の内面
３  第３の筐体
４  表示部
５  操作部
６  ヒンジ部
７  カメラモジュール
８  回転支持機構
９,１０  プレート
１１  メインガイド溝
１２ａ，１２ｂ  サブガイド溝
１３  メインガイドピン
１４ａ，１４ｂ  サブガイドピン
１５  メインフランジ（フランジ）
１６ａ，１６ｂ  サブフランジ
１７  電気ケーブル（ケーブル）
１８  貫通孔
１９  切り欠き
２０  圧縮バネ
２１  スピーカー
２２  サブ操作部
２３  サブ表示部
２４  体脂肪測定用の電極
【図１】
2010166331.tif 000003
【図２】
2010166331.tif 000004
【図３】
2010166331.tif 000005
【図４】
2010166331.tif 000006
【図５】
2010166331.tif 000007
【図６】
2010166331.tif 000008
【図７】
2010166331.tif 000009
【図８】
2010166331.tif 000010
【図９】
2010166331.tif 000011
【図１０】
2010166331.tif 000012
【図１１】
2010166331.tif 000013
【図１２】
2010166331.tif 000014
【図１３】
2010166331.tif 000015
【図１４】
2010166331.tif 000016
【図１５】
2010166331.tif 000017
【図１６】
2010166331.tif 000018
【図１７】
2010166331.tif 000019